(57)【特許請求の範囲】
【請求項１】
前耳の内面側に内方に開口した断面形状略Ｃ字状の溝が形成され、この溝の上縁に係止部が形成されている軒樋同士の接続に用いられる樋継手において、
前記樋継手は、外面形状が樋本体部の内面形状と形状とほぼ合致する形状に形成された溝形状の継手本体部と、この継手本体部の上端部に設けられた耳係止部とで構成され、前記前耳の下面部を受ける継手本体部の外面に、軒樋内に雨水を排水するための排水溝を形成するための高さ０．５〜２ｍｍの突条が継手本体部の長手方向の全長に沿って設けられていることを特徴とする樋継手。
【請求項２】
前耳の内面側に内方に開口した断面形状略Ｃ字状の溝が形成され、この溝の上縁に係止部が形成されている軒樋同士の接続に用いられる樋継手において、
前記樋継手は、外面形状が樋本体部の内面形状と形状とほぼ合致する形状に形成された溝形状の継手本体部と、この継手本体部の上端部に設けられた耳係止部とで構成され、この耳係止部の両端部の形状が前記軒樋の前耳の溝を閉塞する形状とされていることを特徴とする樋継手。
【請求項３】
軒樋の内側に樋継手が設けられ、この樋継手の外側位置で軒樋が長手方向の端面を互いに突き合わせて接続されている軒樋の接続構造において、
前記軒樋は、溝形状の樋本体部の上端に耳部が形成され、この耳部の内側面に内方に開口した断面形状略Ｃ字状の溝が形成されており、前記樋継手は、外面形状が樋本体部の内面形状と形状とほぼ合致する形状に形成された溝形状の継手本体部と、この継手本体部の上端部に設けられた耳係止部とから構成され、前記軒樋の前耳の下面部を受ける継手本体部の外面に、高さ０．５〜２ｍｍの突条が継手本体部の長手方向の全長に沿って設けられ、前記軒樋の前耳の下面部と、この下面部と対向する前記継手本体部の外面との間に、軒樋内に雨水を排水するための排水溝が形成されていることを特徴とする軒樋の接続構造。
【発明の詳細な説明】
【０００１】
【発明の属する技術分野】
本発明は、軒樋の接続に用いられる樋継手であって、その中でも軒樋の内側に設けられる内側接続方式の樋継手およびこの樋継手を用いた軒樋の接続構造に関する。
【０００２】
【従来の技術】
従来、軒樋の内側に設けられる樋継手として、たとえば実公昭５６−１２３５４号公報に記載されているものが知られている。この樋継手は、外面形状が樋本体部の内面形状とほぼ一致する形状に形成された溝形状の継手本体部と、この継手本体部の上端部に形成された耳係止部とで構成されており、前記継手本体部が半円筒状に形成され、前記耳係止部が樋耳の外側に嵌合可能な溝形状に形成されているものである。しかしながら、この従来の樋継手においては、耳係止部が樋耳の外側に現れるために美観が損なわれるという問題があった。
【０００３】
この美観上の問題を解消する樋継手として、特開平１０−３１７６１２号公報において、外面形状が樋本体部の内面形状とほぼ符合する形状に形成された継手本体部と、この継手本体部の上端部に設けられた耳係止部とを備え、樋耳の内面側に内方に開口した溝が形成されている軒樋の接続に用いられる軒樋継手が開示されている。
【０００４】
【発明が解決しようとする課題】
上記特開平１０−３１７６１２号公報に開示された軒樋継手では、継手本体部の上端部に設けられた耳係止部が樋耳の溝内に係止されるため、耳係止部が樋耳の外側に現れず美観は損なわれない。しかしながら、軒先に軒樋を配設する際に、樋支持具の先端が係止される屋外側の樋耳の溝が軒樋の内側に開口しているため、軒樋の樋耳に降った雨水や屋根面を流れてきた雨水が樋耳の溝内に入り込み、この雨水が溝内を伝わって軒樋の長手方向に流れる。このため、たとえば隣接する軒樋同士の当接端面に隙間が存在している場合、その隙間を通じて雨水の漏れが生じるという問題があった。
【０００５】
本発明の目的は、美観よく軒樋を接続することができ、かつ、軒樋と樋継手との接続部からの雨水の漏れを防止できる樋継手およびこの樋継手を用いた軒樋の接続構造を提供することである。
【０００６】
【課題を解決するための手段】
請求項１記載の本発明は、前耳の内面側に内方に開口した断面形状略Ｃ字状の溝が形成され、この溝の上縁に係止部が形成されている軒樋同士の接続に用いられる樋継手において、前記樋継手は、外面形状が樋本体部の内面形状と形状とほぼ合致する形状に形成された溝形状の継手本体部と、この継手本体部の上端部に設けられた耳係止部とで構成され、前記前耳の下面部を受ける継手本体部の外面に、軒樋内に雨水を排水するための排水溝を形成するための高さ０．５〜２ｍｍの突条が継手本体部の長手方向の全長に沿って設けられているものである。
【０００７】
本発明における樋継手の材質は、硬質塩化ビニル樹脂、アクリル樹脂、ポリカーボネート樹脂、ＡＥＳ樹脂などの合成樹脂が使用できる。また、鉄板，鋼板，ステンレス板、あるいは表面がたとえば塩化ビニル樹脂などの合成樹脂にて被覆された樹脂被覆鋼板などの金属材料であってもよい。樋継手の形状は適用される軒樋の形状に応じて決めればよい。また、軒樋の材質は、樋継手と同一であっても、異なるものであってもよい。
【０００８】
請求項１記載の本発明の樋継手は、外面形状が樋本体部の内面形状と形状とほぼ合致する形状に形成された溝形状の継手本体部と、この継手本体部の上端部に設けられた耳係止部とで構成され、前記前耳の下面部を受ける継手本体部の外面に、軒樋内に雨水を排水するための排水溝を形成するための高さ０．５〜２ｍｍの突条が継手本体部の長手方向の全長に沿って設けられているので、たとえば軒樋の接続施工の際に、隣接する軒樋同士の端面間に僅かに隙間が生じても、この隙間を通じて軒樋の外方に漏れる雨水を上記排水溝を通じて軒樋内に排水することができる。
【０００９】
請求項２記載の本発明の樋継手は、前耳の内面側に内方に開口した断面形状略Ｃ字状の溝が形成され、この溝の上縁に係止部が形成されている軒樋同士の接続に用いられる樋継手において、前記樋継手は、外面形状が樋本体部の内面形状と形状とほぼ合致する形状に形成された溝形状の継手本体部と、この継手本体部の上端部に設けられた耳係止部とで構成され、この耳係止部の両端部の形状が前記軒樋の前耳の溝を閉塞する形状とされているものである。
【００１０】
請求項２記載の本発明の樋継手は、外面形状が樋本体部の内面形状と形状とほぼ合致する形状に形成された溝形状の継手本体部と、この継手本体部の上端部に設けられた耳係止部とで構成され、この耳係止部の両端部の形状が前記軒樋の前耳の溝を閉塞する形状とされているので、たとえば軒樋の接続施工の際に、隣接する軒樋同士の端面間に僅かに隙間が生じても、軒樋の前耳の溝内を伝わって樋継手と軒樋との接続部に流れてくる雨水の浸入を防止することができる。
【００１１】
請求項３記載の本発明は、軒樋の内側に樋継手が設けられ、この樋継手の外側位置で軒樋が長手方向の端面を互いに突き合わせて接続されている軒樋の接続構造において、前記軒樋は、溝形状の樋本体部の上端に耳部が形成され、この耳部の内側面に内方に開口した断面形状略Ｃ字状の溝が形成されており、前記樋継手は、外面形状が樋本体部の内面形状と形状とほぼ合致する形状に形成された溝形状の継手本体部と、この継手本体部の上端部に設けられた耳係止部とから構成され、前記軒樋の前耳の下面部を受ける継手本体部の外面に、高さ０．５〜２ｍｍの突条が継手本体部の長手方向の全長に沿って設けられ、前記軒樋の前耳の下面部と、この下面部と対向する前記継手本体部の外面との間に、軒樋内に雨水を排水するための排水溝が形成されているものである。
【００１２】
請求項３記載の本発明の軒樋の接続構造では、軒樋は、溝形状の樋本体部の上端に耳部が形成され、この耳部の内側面に内方に開口した断面形状略Ｃ字状の溝が形成されており、前記樋継手は、外面形状が樋本体部の内面形状と形状とほぼ合致する形状に形成された溝形状の継手本体部と、この継手本体部の上端部に設けられた耳係止部とから構成され、前記軒樋の前耳の下面部を受ける継手本体部の外面に、高さ０．５〜２ｍｍの突条が継手本体部の長手方向の全長に沿って設けられ、前記軒樋の前耳の下面部と、この下面部と対向する前記継手本体部の外面との間に、軒樋内に雨水を排水するための排水溝が形成されているので、たとえば軒樋の接続施工の際に、隣接する軒樋同士の端面間に僅かに隙間が生じても、この隙間を通じて軒樋の外方に漏れる雨水を上記排水溝を通じて軒樋内に排水することができる。
【００１３】
【発明の実施の形態】
以下、本発明の実施の形態を図面に基づいて説明する。図１は本発明の樋継手の第１実施例を示す斜視図、図２は図１の樋継手にて接続される軒樋を示す正面図、図３および図４は図１の樋継手の使用状態を示す説明図である。
【００１４】
まず、本発明の樋継手にて接続される軒樋について説明する。軒樋１は断面形状が角型の硬質塩化ビニル樹脂製のものであり、図２に示すように、平坦な底壁１１と、この底壁１１の両側部から立設された前側壁１２および後側壁１３とで溝形状の樋本体部１０が構成されている。前側壁１２は底壁１１から外側に向けて若干傾斜して形成され、途中部で段部１２１が前方に水平に延設して形成されており、後側壁１３は底壁１１に対してほぼ直角に形成されている。
【００１５】
前側壁１２の上端には前耳１４が形成されており、この前耳１４は樋内側に開口した溝１４１を有している。この溝１４１は断面形状がほぼＣ字状とされており、その開口部上縁には係止爪１４２が下向きに形成されている。後側壁１３の上端には後耳１５が形成されており、この後耳１５は内方に向けて突出された係止突起１５１を備えており、この係止突起１５１の隅部下面側には幅狭（約２．５ｍｍ）の溝１５２が形成されている。前耳１４の溝１４１および後耳１５の係止突起１５１は、軒樋１を後述の樋支持具４に取り付ける際の取付用溝および突起となる。
【００１６】
樋継手２は、上記軒樋１と同様に硬質塩化ビニル樹脂製のものであり、図１に示すように、その外面形状が樋本体部１０の内面形状と形状とほぼ合致する形状に形成された溝形状の継手本体部２０と、この継手本体部２０の上端部に設けられた前耳係止部２４と後耳係止部２５とで構成されている。
【００１７】
継手本体部２０は溝形状のものであり、平坦な底壁２１と、この底壁２１の両側部から立設された前側壁２２および後側壁２３とで構成されている。前側壁２２は底壁２１から外側に向けて若干傾斜して形成され、途中部で段部２２１が前方に若干傾斜して延設して形成されている。後側壁２３は底壁２１に対してほぼ直角に形成されている。
【００１８】
前側壁２２の上部は、軒樋１の前耳１４の下面１４３に合致するように内側に屈曲されて受け面２２２とされている。この受け面２２２の最下端側には、高さ約０．５ｍｍの突条２２３が継手本体部２０の長手方向の全長に沿って一体に設けられている。この突条２２３は軒樋１の前耳１４の溝１４１内に溜まった雨水を軒樋１内に排水するための排水溝３を形成するためのものであり、その高さは０．５〜２ｍｍ程度あればよい。受け面２２２のほぼ中央には長方形状の孔２２４が穿孔されている。なお、２６は立ち上がり片であり、冬季の積雪荷重によって軒樋１の前耳１４と樋継手２の前耳係止部２４との係合が外れるのを防止するものである。
【００１９】
つぎに、上記図１の樋継手２の使用態様を図９に基づいて説明する。軒樋１を吊設する樋吊具４は、図４および図９に示すように、取付部４１と支持部材４２とからなり、支持部材４２の両端には前耳保持部４３および後耳保持部４４が設けられている。樋吊具４はポリカーボネート樹脂製のものである。
【００２０】
まず、建物の鼻隠し板５に、複数の樋吊具４を配列し取付け位置を決めてから、樋吊具４の取付部４１をネジなどの固定具で螺着して取り付ける。
【００２１】
つぎに、図９（ａ）に示すように、軒樋１，１の後耳１５を各樋吊具４の後耳保持部４４に嵌合して係止させ、この状態において、隣接する軒樋１，１同士の端面を当接させる。つぎに、樋継手２の樋本体部１０の両端部外周面に接着剤を塗布し、図９（ｂ）に示すように、この接着剤を塗布した樋継手２の後側壁２３の上端部に設けられた後耳係止部２５を軒樋１，１の後耳１５，１５の隅部下面側に設けられた溝１５２内に嵌合して係止させる。
【００２２】
つぎに、図９（ｃ）に示すように、後耳１５，１５を中心として軒樋１，１を時計周り方向に回転させ、軒樋１，１の前耳１４，１４を樋吊具４の前耳保持部４３および樋継手２の前耳係止部２４に嵌合して係止させる。同様にして、隣接する軒樋１を樋継手２と接続する。この作業を繰り返して行うことで、図３および図４に示すように、樋継手２にて接続した軒樋１を軒先の鼻隠し板５の前方に樋吊具４にて配設することができる。なお、所定の位置において、相対向し合う軒樋１，１間にドレンが取り付けられた集水器を接続し、この集水器の下部にエルボを取付け、このエルボに竪樋を接続する。そして、この竪樋を竪樋支持具により建物の外壁に固定する。
【００２３】
この第１実施例の樋継手２の場合、図１に示すように、継手本体部２０の前側壁２２の上部に受け面２２２が形成され、この受け面２２２の最下端側に突条２２３が設けられているので、軒樋１の端部内に嵌合接着された状態では、図５に示すように、軒樋１側の下面１４３と樋継手２側の受け面２２２との間には排水溝３が形成されることになる。この結果、軒樋１の前耳１４の溝１４１内に溜まる雨水は、排水溝３を通じて受け面２２２上を流れ、受け面２２２のほぼ中央に穿孔されている孔２２４を通じて軒樋１内に流れ込む。
【００２４】
また、軒樋１と樋継手２を接続する際に、たとえば隣接する軒樋１，１同士の当接端面間に僅かに隙間が生じても、図５に示すように、受け面２２２の最下端側に設けられた突条２２３が堰としての機能を備えているので、水上側の軒樋１の前耳１４の溝１４１から隙間に流れ出た雨水は突条２２３に沿って受け面２２２上を流れ、樋継手２の孔２２４を通じて軒樋１内に流れ込むことになる。このため、隣接する軒樋１，１同士の当接端面間に生じた隙間を通じて、雨水が軒樋１の外面側に漏れ出るのを防止することができる。たとえば寒冷地や積雪地において、上記隙間部分に生じていた氷柱の発生を防止することができる。
【００２５】
さらに、図５に示すように、前耳１４の係止爪１４２の前面が立ち上がり片２６にて覆われているので、冬季の積雪荷重によって軒樋１の前耳１４と前耳係止部２４との係合が外れるのを防止できる。このため、軒樋１の破損や破壊を防止でき、耐積雪荷重性にすぐれている。
【００２６】
図６は本発明の樋継手の第２実施例を示す斜視図である。この第２実施例の樋継手２Ａの場合、図６に示すように、継手本体部２０の前側壁２２の上部に形成されている受け面２２２が中央から両端に向かって下り勾配の傾斜面とされている。なお、上記図１の第１実施例の樋継手２と同一部分については、同一符号を付して説明を省略する。
【００２７】
この第２実施例の樋継手２Ａの場合、軒樋１の端部内に嵌合接着された状態では、図１０に示すように、軒樋１側の下面１４３と樋継手２側の受け面２２２との間には排水溝３が形成される。この場合、排水溝３の深さは受け面２２２の中央から両端に向かうにつれて徐々に深くなっている。そして、受け面２２２が中央から両端に向かって下り勾配の傾斜面とされているので、軒樋１の前耳１４の溝１４１内に溜まる雨水は受け面２２２のほぼ中央に流れ落ちた後、受け面２２２上を両側に流れ、受け面２２２の両端を通じて軒樋１内に流れ込む。
【００２８】
また、軒樋１と樋継手２を接続する際に、たとえば隣接する軒樋１，１同士の当接端面間に僅かに隙間が生じても、図６に示すように、受け面２２２の最下端側に設けられた突条２２３が堰としての機能を備えているので、水上側の軒樋１の前耳１４の溝１４１から隙間に流れ出た雨水は突条２２３に沿って受け面２２２上を両側に流れ、受け面２２２の両端を通じて軒樋１内に流れ込むことになる。このため、隣接する軒樋１，１同士の当接端面間に生じた隙間を通じて、雨水が軒樋１の外面側に漏れ出るのを防止できる。
【００２９】
図７は本発明の樋継手の第３実施例を示す斜視図である。この第３実施例の樋継手２Ｂの場合、図７に示すように、受け面２２２の下方に位置している前側壁２２の途中部に継手本体部２０内に張り出した倒置Ｊ字状の窪み２２ａを設けた以外は、基本的に上記図１の樋継手２とほぼ同一である。図１の第１実施例の樋継手２と同一部分については、同一符号を付して説明を省略する。
【００３０】
この第３実施例の樋継手２Ｂが適用される軒樋は図８に示すようなものである。この軒樋１Ａは、前側壁１２の途中部に樋本体部１０内に張り出した倒置Ｊ字状の窪み１２ａを設けた以外は、基本的に上記図２の軒樋１とほぼ同一である。図２の第１実施例の軒樋１と同一部分については、同一符号を付して説明を省略する。
【００３１】
図１１は本発明の樋継手の第４実施例を示す斜視図である。この第４実施例の樋継手２Ｃの場合、図１１に示すように、継手本体部２０の上端部に設けられた前耳係止部２４の両端部に大係止部２４１が形成され、この大係止部２４１の形状が接続される軒樋１の前耳１４の溝形状とほぼ合致する形状とされ、受け面２２２のほぼ中央に長方形状の孔２２４が穿孔されておらず、受け面２２２の最下端側に突条２２３が設けられていない以外は、基本的に上記図１の樋継手２とほぼ同一である。図１の第１実施例の樋継手２と同一部分については、同一符号を付して説明を省略する。
【００３２】
この第４実施例の樋継手２Ｃの場合、軒樋１の端部内に嵌合接着された状態では、図１２に示すように、樋継手２Ｃの前耳係止部２４の両端部に形成されている大係止部２４１が軒樋１の前耳１４の溝１４１内に密着して嵌合係止されることで、軒樋１の前耳１４の溝１４１が閉塞されるので、軒樋１の前耳１４の溝１４１内に溜まった雨水が樋継手２Ｃと軒樋１との接続部内へ浸入するのを防止することができる。
【００３３】
図１３は本発明の樋継手の第５実施例を示す斜視図である。この第５実施例の樋継手２Ｄの場合、図１３に示すように、前側壁２２の上部に位置している立ち上がり片２６の上端縁から外方に向けて断面山形状のカバー片２７を一体に延設させた以外は、基本的に上記図１の樋継手２とほぼ同一である。図１の第１実施例の樋継手２と同一部分については、同一符号を付して説明を省略する。そして、図１３に示すように、カバー片２７の先端側は内方に向けて屈曲された断面略Ｌ字状の係止部２７１を備えている。
【００３４】
この第５実施例の樋継手２Ｄの場合、隣接する軒樋１，１の端部内に嵌合接着された状態では、図１５に示すように、前耳１４の係止爪１４２の前面が立ち上がり片２６にて覆われるとともに、前耳１４，１４の上面が断面山形状のカバー片２７にて覆われているので、冬季の積雪荷重によって軒樋１の前耳１４と前耳係止部２４との係合が外れるのを確実に防止できる。このため、軒樋１の破損や破壊を防止でき、耐積雪荷重性にすぐれている。
【００３５】
また、カバー片２７の先端側に形成されている断面略Ｌ字状の係止部２７１が軒樋１，１の前耳１４上面の入隅部に密着して嵌合係止されるので、強風による軒樋のガタツキを防止することができる。
【００３６】
なお、この第５実施例の樋継手２Ｄに、上記第４実施例（図１１を参照）の樋継手２Ｃの技術的思想を適用することも可能である。その場合、受け面２２２に孔２２４を設ける必要がなく、受け面２２２の最下端側に突起２２３を設けなくてよい。そして、樋継手の前耳係止部２４の両端部に形成されている大係止部２４１が軒樋１の前耳１４の溝１４１内に密着して嵌合係止されることで、軒樋１の前耳１４の溝１４１が閉塞されるので、軒樋１の前耳１４の溝１４１内に溜まった雨水が樋継手と軒樋１との接続部内へ浸入するのを防止することができる。
【００３７】
図１４は本発明の樋継手の第６実施例を示す斜視図である。この第６実施例の樋継手２Ｅの場合、図１４に示すように、継手本体部２０の前側壁２２の上部に形成されている受け面２２２が中央から両端に向かって下り勾配の傾斜面とされている。なお、上記図１の第５実施例の樋継手２Ｄと同一部分については、同一符号を付して説明を省略する。
【００３８】
なお、この第６実施例の樋継手２Ｅに、上記第４実施例（図１１を参照）の樋継手２Ｃの技術的思想を適用することも可能である。
【００３９】
図１６は本発明の樋継手の第７実施例を示す斜視図である。この第７実施例の樋継手２Ｆの場合、図１６に示すように、前側壁２２の受け面２２２に、軒樋１Ａの前耳１４の下面１４３に当接するように軟質の接合部２２５を継手本体部２０の長手方向に沿って設けた以外は、基本的に上記図７の樋継手２Ｂとほぼ同一である。図７の第３実施例の樋継手２Ｂと同一部分については、同一符号を付して説明を省略する。尚、この第７実施例の樋継手２Ｆが適用される軒樋は図８に示すものと同じであるので説明を省略する。
【００４０】
この第７実施例の樋継手２Ｆの場合の軟質の接合部２２５は、軒樋１Ａの前耳１４の溝１４１内に溜まった雨水が受け面２２２に沿って流下しないように防水するためのものであり、軟質ゴムを一体に設けたり、軟質のポリウレタン発泡体あるいはポリエチレン発泡体等のシートからなるパッキング材を受け面２２２に貼付けたりしてもよい。その場合、受け面２２２に孔２２４を設けてもよいが、受け面２２２の最下端側に突起２２３を設けなくてよい。
【００４１】
この実施例の樋継手２Ｆは、隣接する軒樋１Ａ，１Ａの端部内に嵌合接着された状態では、図１７に示すように、受け面２２２に形成されている軟質の接合部２４５が軒樋１Ａの前耳１４の下面１４３に当接することになる。その結果、軟質のパッキング材からなる接合部２２５が圧縮され、前耳１４の下面１４３に密着して水密性が保たれるので、軒樋１Ａの前耳１４の溝１４１内に溜まった雨水が樋継手と軒樋１Ａとの接続部内へ浸入するのを防止することができる。
【００４２】
図１８は本発明の樋継手の第８実施例を示す斜視図である。この第８実施例の樋継手２Ｇの場合、図１８に示すように、前側壁２２の受け面２２２を下げて深い排水溝３ａを設けた以外は、基本的に上記図７の樋継手２Ｂとほぼ同一である。図７の第３実施例の樋継手２Ｂと同一部分については、同一符号を付して説明を省略する。尚、この第８実施例の樋継手２Ｇが適用される軒樋は図１９に示すように、軒樋１Ｂの前耳１４の下面１４３に下方に突出した水切り片１４４を設けた以外、図８に示すものと同じであるので説明を省略する。
【００４３】
この軒樋１Ｂの水切り片１４４は、軒樋１Ｂの前耳１４の溝１４１内に溜まった雨水が下面１４３に沿って流下するのを堰止めて軒樋１Ｂ内に滴下させて排水するためのものであり、下面１４３の最上部に設けてもよい。また、樋継手２Ｇの排水溝３ａは、底部を傾斜させてもよく、或いは排水孔２２４を設けてもよい。なお、排水溝３ａの深さは軒樋１Ｂの水切り片１４４が収納できる程度に設定されてもよい。
【００４４】
樋継手２Ｇを用いて軒樋１Ｂを接続すると、図２０に示すように、軒樋１Ｂの前耳１４の下面１４３に設けられた水切り片１４４が排水溝３ａ内に垂下した状態で接続される。使用中において、軒樋１Ｂの前耳１４の溝１４１内に溜まった雨水が下面１４３に沿って流下することになるが、水切り片１４４で堰止められ、排水溝３ａ内に滴下してから排水溝３ａ内を流れて軒樋１Ｂ内へ排出されるので、軒樋１Ｂの接続端部からは漏れたりすることがない。
【００４５】
【発明の効果】
請求項１記載の本発明の樋継手は、外面形状が樋本体部の内面形状と形状とほぼ合致する形状に形成された溝形状の継手本体部と、この継手本体部の上端部に設けられた耳係止部とで構成され、前記前耳の下面部を受ける継手本体部の外面に、軒樋内に雨水を排水するための排水溝を形成するための高さ０．５〜２ｍｍの突条が継手本体部の長手方向の全長に沿って設けられているので、たとえば軒樋の接続施工の際に、隣接する軒樋同士の端面間に僅かに隙間が生じても、この隙間を通じて軒樋の外方に漏れる雨水を上記排水溝を通じて軒樋内に排水することができる。
【００４６】
請求項２記載の本発明の樋継手は、外面形状が樋本体部の内面形状と形状とほぼ合致する形状に形成された溝形状の継手本体部と、この継手本体部の上端部に設けられた耳係止部とで構成され、この耳係止部の両端部の形状が前記軒樋の前耳の溝を閉塞する形状とされているので、たとえば軒樋の接続施工の際に、隣接する軒樋同士の端面間に僅かに隙間が生じても、軒樋の前耳の溝内を伝わって樋継手と軒樋との接続部に流れてくる雨水の浸入を防止することができる。
【００４７】
請求項３記載の本発明の軒樋の接続構造では、軒樋は、溝形状の樋本体部の上端に耳部が形成され、この耳部の内側面に内方に開口した断面形状略Ｃ字状の溝が形成されており、前記樋継手は、外面形状が樋本体部の内面形状と形状とほぼ合致する形状に形成された溝形状の継手本体部と、この継手本体部の上端部に設けられた耳係止部とから構成され、前記軒樋の前耳の下面部を受ける継手本体部の外面に、高さ０．５〜２ｍｍの突条が継手本体部の長手方向の全長に沿って設けられ、前記軒樋の前耳の下面部と、この下面部と対向する前記継手本体部の外面との間に、軒樋内に雨水を排水するための排水溝が形成されているので、たとえば軒樋の接続施工の際に、隣接する軒樋同士の端面間に僅かに隙間が生じても、この隙間を通じて軒樋の外方に漏れる雨水を上記排水溝を通じて軒樋内に排水することができる。
【図面の簡単な説明】
【図１】 本発明の樋継手の第１実施例を示す斜視図である。
【図２】 図１の樋継手にて接続される軒樋を示す正面図である。
【図３】 図１の樋継手の使用状態を示す説明図である。
【図４】 軒樋の配設状態を示す説明図である。
【図５】 図３の要部を示す拡大断面図である。
【図６】 本発明の樋継手の第２実施例を示す斜視図である。
【図７】 本発明の樋継手の第３実施例を示す斜視図である。
【図８】 図７の樋継手が適用される軒樋を示す正面図である。
【図９】 図１の樋継手による軒樋の取付工程を示す説明図である。
【図１０】 図６の樋継手と軒樋との接続状態を示す説明図である。
【図１１】 本発明の樋継手の第４実施例を示す斜視図である。
【図１２】 図１１の樋継手と軒樋との接続状態を示す要部拡大断面図である。
【図１３】 本発明の樋継手の第５実施例を示す斜視図である。
【図１４】 本発明の樋継手の第６実施例を示す斜視図である。
【図１５】 図１３の樋継手と軒樋との接続状態を示す要部拡大断面図である。
【図１６】 本発明の樋継手の第７実施例を示す斜視図である。
【図１７】 図１６の樋継手と軒樋との接続状態を示す要部拡大断面図である。
【図１８】 本発明の樋継手の第８実施例を示す斜視図である。
【図１９】 図１８の樋継手が適用される軒樋を示す正面図である。
【図２０】 図１８の樋継手と軒樋との接続状態を示す要部拡大断面図である。
【符号の説明】
１，１Ａ，１Ｂ  軒樋
１０  樋本体部
１１  底壁
１２  前側壁
１３  後側壁
１４  前耳
１４１  溝
１４２  係止爪
１４３  下面部
１４４  水切り片
１５  後耳
１５１  係止突起
１５２  溝
２，２Ｂ，２Ｃ，２Ｄ，２Ｅ，２Ｆ，２Ｇ  樋継手
２０  継手本体部
２１  底壁
２２  前側壁
２２２  受け面
２２３  突条
２３  後側壁
２４  前耳係止部
２５  後耳係止部
２６  立ち上がり片
２７  カバー片
２７１  係止部
３，３ａ  排水溝
４  樋吊具
４１  取付部
４２  支持部材
４３  前耳保持部
４４  後耳保持部
５  鼻隠し板
【図１】
0004040909.tif 000002
【図２】
0004040909.tif 000003
【図３】
0004040909.tif 000004
【図４】
0004040909.tif 000005
【図５】
0004040909.tif 000006
【図６】
0004040909.tif 000007
【図７】
0004040909.tif 000008
【図８】
0004040909.tif 000009
【図９】
0004040909.tif 000010
【図１０】
0004040909.tif 000011
【図１１】
0004040909.tif 000012
【図１２】
0004040909.tif 000013
【図１３】
0004040909.tif 000014
【図１４】
0004040909.tif 000015
【図１５】
0004040909.tif 000016
【図１６】
0004040909.tif 000017
【図１７】
0004040909.tif 000018
【図１８】
0004040909.tif 000019
【図１９】
0004040909.tif 000020
【図２０】
0004040909.tif 000021